(57)【要約】【課題】生体信号計測のための高着圧による不快感および擦れの発生を予防し、また、電極部の固定位置の個別調整を可能とする。【解決手段】生体信号計測用衣類１は、生体に接触して生体が発する生体信号を取得する電極部３０と、電極部３０を支持し、生体を締め付ける伸縮性素材の帯体２０と、帯体２０と生体との間に部分的に介在し、電極部３０と共に帯体２０の一部を裏地側に通す、少なくとも一対の孔部１６が設けられた衣服３と、を備える。【選択図】図１
2020199030.tif 000002
【特許請求の範囲】
【請求項１】
生体に接触して前記生体が発する生体信号を取得する電極部と、
前記電極部を支持し、前記生体を締め付ける伸縮性素材の帯体と、
前記帯体と前記生体との間に部分的に介在し、前記電極部と共に前記帯体の一部を裏地側に通す、少なくとも一対の孔部が設けられた衣服と、を備える、生体信号計測用衣類。
【請求項２】
前記衣服には、表地側に、前記帯体を通す帯通しが設けられている、請求項１に記載の生体信号計測用衣類。
【請求項３】
前記帯体の一端部に設けられたフックと、
前記帯体の他端部に設けられ、前記フックが着脱可能な環通しと、を備える、請求項１または２に記載の生体信号計測用衣類。
【請求項４】
前記帯体の長さを調節する調節部を備える、請求項１〜３のいずれか一項に記載の生体信号計測用衣類。
【請求項５】
前記電極部は、前記生体信号として、前記生体の心拍を取得する一対の電極を備え、
前記帯体のうち、少なくとも前記一対の電極の間には、疎水加工がされている、請求項１〜４のいずれか一項に記載の生体信号計測用衣類。
【請求項６】
前記帯体と前記電極部との境目の少なくとも一部を覆う被覆部を備える、請求項１〜５のいずれか一項に記載の生体信号計測用衣類。
【請求項７】
前記生体信号を記録する生体信号計測装置と、
前記帯体及び前記衣服を貫通して、前記生体信号計測装置と前記電極部とを電気的に接続するコネクタを備える、請求項１〜６のいずれか一項に記載の生体信号計測用衣類。
【請求項８】
生体に接触して前記生体が発する生体信号を取得する電極部と、
前記電極部を支持し、前記生体を締め付ける伸縮性素材の帯体と、を備える、生体信号計測用帯体。
【発明の詳細な説明】
【技術分野】
【０００１】
本発明は、生体信号計測用衣類および生体信号計測用帯体に関するものである。
【背景技術】
【０００２】
近年、心電位や加速度およびそれらから推定によって導かれる特徴量といった生体信号を計測可能な生体信号計測用衣類が提案されている（非特許文献１参照）。また、同様の生体信号を計測可能な生体信号計測用帯が提案されている（非特許文献２参照）。これらは、体表面に密着するようにして使用される電極部を具備している。
【先行技術文献】
【非特許文献】
【０００３】
【非特許文献１】河西、小笠原、中島、塚田、「着るだけで生体情報計測を可能とする機能素材“ｈｉｔｏｅ”の開発及び実用」、電子情報通信学会、通信ソサイエティマガジン４１号（２０１７年６月）（Ｖｏｌ．  １１  Ｎｏ．１）、ｐ．１７−２３
【非特許文献２】メチロンのトレラン日記、[online]、平成２９年５月３日、［令和１年５月２４日検索］、インターネット<https://live-simply.hatenadiary.jp/entry/smart-sensor-polar-belt>
【発明の概要】
【発明が解決しようとする課題】
【０００４】
しかし、前記衣類は、体表面への密着を保つために窮屈な構造をしており、人によっては不快であるという課題があった。また、前記帯は、高い密着性により帯の縁で体表面がこすれてしまい、人によっては痒みなどを生ずるといった課題があった。
さらに、体型性別に応じて多種類の衣類を用意する必要があった。例えば、身長や座高により、肩首から心臓の長さに個人差があるために、電極部の固定位置の異なる複数の衣類を準備する必要があった。
【０００５】
本発明は、上記課題点に鑑みてなされたものであり、生体信号計測のための高着圧による不快感および擦れの発生を予防し、また、電極部の固定位置の個別調整を可能とすることを目的とする。
【課題を解決するための手段】
【０００６】
本発明の一態様に係る生体信号計測用衣類は、生体に接触して前記生体が発する生体信号を取得する電極部と、前記電極部を支持し、前記生体を締め付ける伸縮性素材の帯体と、前記帯体と前記生体との間に部分的に介在し、前記電極部と共に前記帯体の一部を裏地側に通す、少なくとも一対の孔部が設けられた衣服と、を備える。
上記生体信号計測用衣類において、前記衣服には、表地側に、前記帯体を通す帯通しが設けられてもよい。
上記生体信号計測用衣類において、前記帯体の一端部に設けられたフックと、前記帯体の他端部に設けられ、前記フックが着脱可能な環通しと、を備えてもよい。
上記生体信号計測用衣類において、前記帯体の長さを調節する調節部を備えてもよい。
上記生体信号計測用衣類において、前記電極部は、前記生体信号として、前記生体の心拍を取得する一対の電極を備え、前記帯体のうち、少なくとも前記一対の電極の間には、疎水加工がされてもよい。
上記生体信号計測用衣類において、前記帯体と前記電極部との境目の少なくとも一部を覆う被覆部を備えてもよい。
上記生体信号計測用衣類において、前記生体信号を記録する生体信号計測装置と、前記帯体及び前記衣服を貫通して、前記生体信号計測装置と前記電極部とを電気的に接続するコネクタを備えてもよい。
【０００７】
本発明の一態様に係る生体信号計測用帯体は、生体に接触して前記生体が発する生体信号を取得する電極部と、前記電極部を支持し、前記生体を締め付ける伸縮性素材の帯体と、を備える。
【発明の効果】
【０００８】
上記本発明の一態様によれば、生体信号計測のための高着圧による不快感および擦れの発生を予防し、また、電極部の固定位置の個別調整を可能とすることができる。
【図面の簡単な説明】
【０００９】
【図１】本発明の第１実施形態に係る生体信号計測用衣類の正面図である。
【図２】本発明の第１実施形態に係る衣服の正面図である。
【図３】本発明の第１実施形態に係る衣服の背面図である。
【図４】本発明の第１実施形態に係る生体信号計測用帯体の展開図である。
【図５】第１実施形態に係る生体信号計測用帯体を生体側（内面側）から視た要部拡大図である。
【図６】本発明の第１実施形態に係る生体信号計測用帯体の要部断面図である。
【図７】本発明の第１実施形態に係る生体信号計測用衣類によって計測した着用者の生体情報のグラフである。
【図８】本発明の第２実施形態に係る生体信号計測用帯体の要部断面図である。
【図９】本発明の第３実施形態に係る生体信号計測用帯体を生体側（内面側）から視た要部拡大図である。
【図１０】本発明の第３実施形態に係る生体信号計測用帯体の要部断面図である。
【図１１】本発明の第４実施形態に係る生体信号計測用帯体の要部断面図である。
【図１２】本発明の第５実施形態に係る生体信号計測用帯体の要部断面図である。
【図１３】本発明の第６実施形態に係る生体信号計測用帯体の要部平面図である。
【図１４】本発明の第７実施形態に係る孔部の要部拡大図である。
【図１５】本発明の第７実施形態に係る孔部の一変形例を示す要部拡大図である。
【図１６】本発明の第８実施形態に係る生体信号計測用衣類の正面図である。
【図１７】本発明の第８実施形態に係る生体信号計測用衣類の要部断面図である。
【図１８】本発明の第９実施形態に係る衣服の正面図である。
【図１９】本発明の第１０実施形態に係る生体信号計測用衣類の正面図である。
【図２０】本発明の第１０実施形態に係る生体信号計測用衣類の要部平断面図である。
【図２１】本発明の第１１実施形態に係る生体信号計測用衣類の正面図である。
【発明を実施するための形態】
【００１０】
以下、本発明の一実施形態について図面を参照して説明する。
【００１１】
（第１実施形態）
図１は、本発明の第１実施形態に係る生体信号計測用衣類１の正面図である。
生体信号計測用衣類１は、生体信号計測用帯体２と、衣服３と、を備える。本実施形態の衣服３は、生体の上半身を覆う上衣である。なお、衣服３は、上衣と下衣が一体のつなぎやタイツなどであっても構わない。また、下半身から生体信号を取得するのであれば、衣服３は、下衣であっても構わない。
【００１２】
図２は、本発明の第１実施形態に係る衣服３の正面図である。図３は、本発明の第１実施形態に係る衣服３の背面図である。
図２に示すように、衣服３は、胴体を通す裾口部１０と、頭部を通す衿口部１１と、左右の肢体（腕）を通す左右の袖口部１２と、を備える。この衣服３は、前身頃１３、後身頃１４（図３参照）、左右の袖１５によって、基体が構成されている。
【００１３】
衣服３の生地を構成する繊維としては、特に限定されず、例えば、ポリエステル系繊維、ポリウレタン繊維、ポリアミド繊維、アセテート繊維、コットン繊維、レーヨン繊維、エチレンビニルアルコール繊維、ナイロン繊維や、これらの複合繊維を用いることができる。
また、衣服３の生地を構成する織物としても、特に限定されず、例えば、通平織、斜文織、朱子織、変化平織、変化斜文織、変化朱子織、変わり織、紋織、片重ね織、二重組織、多重組織、経パイル織、緯パイル織、絡み織などを用いることができる。
【００１４】
図２に示すように、衣服３の前身頃１３には、一対の孔部１６が設けられている。一対の孔部１６は、心拍計測位置１００（つまり、人体の心臓が存在し得る位置）に応じて、衣服３の袖１５下の胸回りの高さに設けられている。また、一対の孔部１６は、心拍計測位置１００に応じて、前身頃１３の左半身寄りに設けられている。
【００１５】
図３に示すように、衣服３の後身頃１４には、帯通し１７が設けられている。帯通し１７は、前身頃１３に設けられた一対の孔部１６と同じ高さに設けられている。また、帯通し１７は、後身頃１４の右半身寄りに設けられている。つまり、帯通し１７は、胸回りにおいて、平面視で一対の孔部１６と点対称の位置関係とされている。
【００１６】
図４は、本発明の第１実施形態に係る生体信号計測用帯体２の展開図である。図５は、本発明の第１実施形態に係る生体信号計測用帯体２を生体側（内面２０ｂ側）から視た要部拡大図である。図５は、本発明の第１実施形態に係る生体信号計測用帯体２の要部断面図である。
これらの図に示すように、生体信号計測用帯体２は、概略、伸縮性素材の帯体２０と、生体信号を取得する電極部３０と、を備える。
【００１７】
帯体２０は、上述した図１に示すように、一対の孔部１６のうち、一方の孔部１６から衣服３の裏地側に入ると共に、他方の孔部１６から衣服３の表地側に出て、衣服３の胸回りを周回し、生体を締め付ける。つまり、一対の孔部１６の間以外の部分においては、帯体２０と生体との間に、衣服３が介在している。
【００１８】
帯体２０は、電極部３０の生体への密着を保つため、またフィット感など装着性を向上させるために伸縮性を有している。帯体２０の生地を構成する繊維および織物としては、上述した衣服３と同様であって、特に限定されない。なお、帯体２０には、伸縮性を高めるために、ゴム繊維などを含み、繊維自体が伸縮性を有していてよいし、繊維自体は伸縮性をほとんど有さないが、織物となることで伸縮性を発揮する構成（例えばメッシュ織など）であっても構わない。
【００１９】
図４に示すように、帯体２０の一端部２０Ａには、フック２１が設けられている。帯体２０の他端部２０Ｂには、フック２１が着脱可能な環通し２２が設けられている。フック２１には、帯体２０を通す帯通し孔２１ａが形成されている。また、フック２１の先端には、環通し２２からの離脱を抑制する返し２１ｂが形成されている。
【００２０】
環通し２２は、例えば、帯体２０の縫い付けまたは接着により筒状に形成され、フック２１が係止する係止孔２２ａを備える。フック２１と環通し２２の間には、帯体２０の長さを調節する調節部２３が設けられている。調節部２３は、フック２１の帯通し孔２１ａを通って折り返された帯体２０を挟み込み、帯体２０の折り返し量を調整することで、帯体２０の長さ（フック２１と環通し２２の間隔）を調節する。
【００２１】
電極部３０は、帯体２０に支持されている。電極部３０は、フック２１と環通し２２との係合により帯体２０が環状となったとき、生体側に面する帯体２０の内面２０ｂ側に支持されている（図５及び図６参照）。本実施形態の電極部３０は、生体信号として、生体の心拍を取得する一対の電極３１を備える。なお、生体の体温などを取得する場合は、電極３１は１つであってもよい。また、複数種の生体信号を取得する場合（例えば、心拍と体温を同時に取得する場合など）は、電極３１は３つ以上であっても構わない。
【００２２】
電極３１は、図５に示すように、矩形の板状に形成されている。電極３１の角部は、丸く面取りされている。一対の電極３１の端から端までの寸法は、図１に示す一対の孔部１６間の前身頃１３の生地の寸法以下であるとよい。つまり、一対の孔部１６は、帯体２０に設けられた一対の電極３１端よりも広い間隔で設けるとよい。
【００２３】
電極３１には、図１に示す生体信号計測装置４０との電気的な接続を確保するコネクタ５０が接続されている。コネクタ５０は、図６に示すように、帯体２０を貫通し、電極３１の裏側の帯体２０の外面２０ａに露出している。コネクタ５０は、固定具５１を介して、電極３１に固定されている。固定具５１としては、周知のドットボタンなどを用いることができる。
【００２４】
図１に示す生体信号計測装置４０は、一対の電極３１とコネクタ５０を介して電気的に接続されて生体信号を記録する。生体信号計測装置４０は、記録した生体信号を有線通信または近距離通信（ＮＦＣ（Near Field Communication）等）によって外部装置に送信可能とされていてもよいし、当該生体信号を遠距離通信によって無線ネットワークにリアルタイムで送信可能とされていてもよい。
【００２５】
図７は、本発明の第１実施形態に係る生体信号計測用衣類１によって計測した着用者の生体情報のグラフである。図７において、縦軸は着用者の心拍数、横軸は時刻を示している。
図７に示すように、着用者は、１３時半から１５時までは心拍の増減が確認でき、１５時以降は心拍数が低い値で変動なく安定している。したがって、着用者は、１３時半から１５時までは運動中、１５時以降は休憩中であることがわかる。このように、図７に示すグラフは、生体情報の挙動として妥当であると考えられ、生体信号計測用衣類１が信頼できる品質を有していることがわかる。
【００２６】
このように、上述した本実施形態の生体信号計測用衣類１によれば、生体に接触して生体が発する生体信号を取得する電極部３０と、電極部３０を支持し、生体を締め付ける伸縮性素材の帯体２０と、帯体２０と生体との間に部分的に介在し、電極部３０と共に帯体２０の一部を裏地側に通す、少なくとも一対の孔部１６が設けられた衣服３と、を備えるため、電極部３０のみを生体に密に接触させ安定的に生体信号を取得しつつ、電極部３０を除く帯体２０の大部分を衣服３の外側に配置し、帯体２０が体表面に擦れる面積を少なくして着用者の痒みの発生を予防できる。また、一対の孔部１６の位置が異なる衣服３を用意すれば、電極部３０の固定位置の個別調整が可能となる。つまり、体型性別が異なっても、生体信号計測用帯体２は１本で足り、一対の孔部１６を設けた衣服３を複数枚用意すればよい。衣服３は、電極部３０を具備しないことから、電極部３０を体表面に密着させるための高着圧設計が不要であり、ゆったりした快適な設計を提供できる。
【００２７】
また、本実施形態によれば、図３に示すように、衣服３には、表地側に、帯体２０を通す帯通し１７が設けられているので、帯体２０の垂れ下がりによる電極部３０の固定位置のズレを防止できる。これにより、より信頼性の高い生体信号を取得することができる。
【００２８】
また、本実施形態によれば、図４に示すように、帯体２０の一端部２０Ａに設けられたフック２１と、帯体２０の他端部２０Ｂに設けられ、フック２１が着脱可能な環通し２２と、を備えているので、帯体２０の着脱が容易になる。
【００２９】
また、本実施形態によれば、帯体２０の長さを調節する調節部２３を備えているので、電極部３０を体表面に密着させるための着圧の調節が容易になる。
【００３０】
（第２実施形態）
次に、本発明の第２実施形態について説明する。以下の説明において、上述の実施形態と同一又は同等の構成については同一の符号を付し、その説明を簡略若しくは省略する。
【００３１】
図８は、本発明の第２実施形態に係る生体信号計測用帯体２の要部断面図である。
図８に示すように、第２実施形態の帯体２０には、疎水部２４が設けられている。疎水部２４は、帯体２０のうち、少なくとも一対の電極３１の間（隙間Ｓ）に、疎水加工を施したものである。本実施形態では、一対の電極３１の裏側全体に、疎水部２４が設けられている。
【００３２】
疎水部２４（疎水加工）は、液体を透過しないものであれば特に限定されるものでは無いが、例えば、アクリル、塩化ビニール等の高分子フィルムをラミネーションする方法、アクリル樹脂、ウレタン樹脂をコーティングする方法などが挙げられる。
この構成によれば、隙間Ｓに液体（特に汗などの電解液）が溜まることが抑制され、一対の電極３１間に短絡などが発生することを防止できる。また、これにより、電極３１のインピーダンスの上昇を防ぎ、Ｓ／Ｎ比の大きな計測品質を得ることができる。
【００３３】
（第３実施形態）
次に、本発明の第３実施形態について説明する。以下の説明において、上述の実施形態と同一又は同等の構成については同一の符号を付し、その説明を簡略若しくは省略する。
【００３４】
図９は、本発明の第３実施形態に係る生体信号計測用帯体２を生体側（内面２０ｂ側）から視た要部拡大図である。図１０は、本発明の第３実施形態に係る生体信号計測用帯体２の要部断面図である。
図９に示すように、第２実施形態の帯体２０には、被覆部２５が設けられている。被覆部２５は、帯体２０と電極部３０との境目Ｂの少なくとも一部を覆うものである。本実施形態の被覆部２５は、一対の電極３１の四方の辺のそれぞれを覆うと共に、一対の電極３１の間も覆っている。なお、被覆部２５は、電極３１の四方の辺のうち、特に擦れやすい部分があれば、その部分のみに設けてもよい。
【００３５】
被覆部２５は、素材は特に限定されるものでは無いが、例えば、ホットメルトなどの粘着材層を積層したテープが特に好適である。また、被覆部２５は、上述の疎水部２４と同様の疎水素材であっても、絶縁性素材であっても、綿であっても合成繊維であっても、それらの複合素材であってもよい。また、一対の電極３１間が繋がっていなければ、被覆部２５は、導電性繊維であっても構わない。
【００３６】
被覆部２５は、一対の電極３１の周縁部以外を露出させる露出部２５ａを形成している。被覆部２５は、図１０に示すように、一対の電極３１の角及び、電極３１と帯体２０との段差を覆っている。この構成によれば、被覆部２５によって、電極３１の端あるいは帯体２０の端における体表面の擦れを予防でき、快適な着用を提供できる。
【００３７】
（第４実施形態）
次に、本発明の第４実施形態について説明する。以下の説明において、上述の実施形態と同一又は同等の構成については同一の符号を付し、その説明を簡略若しくは省略する。
【００３８】
図１１は、本発明の第４実施形態に係る生体信号計測用帯体２の要部断面図である。
図１１に示すように、第４実施形態のコネクタ５０の固定具５１は、帯体２０の外面２０ａに向かって薄く傾斜を伴った形状となっている。
【００３９】
固定具５１の縁部は、電極３１に埋設され、固定具５１の表面と電極３１の表面が滑らかに繋がっている。なお、固定具５１全体を、電極３１の表面と面一になるまで埋設してもよい。この構成によれば、電極３１における凹凸が緩和され、また、コネクタ５０の固定具５１の縁が体表面に触れないことで、快適な着用を提供できる。
【００４０】
（第５実施形態）
次に、本発明の第５実施形態について説明する。以下の説明において、上述の実施形態と同一又は同等の構成については同一の符号を付し、その説明を簡略若しくは省略する。
【００４１】
図１２は、本発明の第５実施形態に係る生体信号計測用帯体２の要部断面図である。
図１２に示すように、第５実施形態の帯体２０には、電極３１とコネクタ５０との間で電気的導通を確保する配線部２６が設けられている。本実施形態では、上述した疎水部２４に、配線部２６が覆われている。
【００４２】
配線部２６は、電気的導通を確保できるものであれば特に限定されるものでは無いが、例えば、導電性高分子を含浸させた繊維構造物である導電性繊維構造物で形成し、帯体２０と同様の伸縮性を有するものが好適である。なお、導電性高分子としては、ポリ３，４−エチレンジオキシチオフェンとポリスチレンスルホン酸との混合物（ＰＥＤＯＴ−ＰＳＳ）を含むものを好適に用いることができる。
【００４３】
この構成によれば、電極３１とコネクタ５０が帯体２０の表裏で接しない物理的配置を所望する場合においても、配線部２６によって、それらの導通を確保することができ、高い設計の自由度を確保することができる。これにより、生体信号計測用帯体２の多様なデザインを利用者に提供することができる。
【００４４】
（第６実施形態）
次に、本発明の第６実施形態について説明する。以下の説明において、上述の実施形態と同一又は同等の構成については同一の符号を付し、その説明を簡略若しくは省略する。
【００４５】
図１３は、本発明の第６実施形態に係る生体信号計測用帯体２の要部平面図である。
図１３に示すように、第６実施形態の環通し２２は、帯体２０の他の部分に比べて厚くなっている。つまり、帯体２０の厚みをＴ１、環通し２２の厚みをＴ２とした場合、Ｔ１＜Ｔ２の関係を有している。
【００４６】
このような環通し２２は、帯体２０を２重、３重に重ねる、あるいは、他の布地を貼り合わせるなどして形成することができる。この構成によれば、フック２１を通す際に、環通し２２がよれ曲がることなく、容易にフック２１が着脱できる。したがって、着用者は、生体信号計測用帯体２を快適に着脱することができる。なお、当該構成に加えて、あるいは当該構成に代えて、環通し２２の係止孔２２ａに円筒状のスリーブ２２ｂを設けても良い。
【００４７】
（第７実施形態）
次に、本発明の第７実施形態について説明する。以下の説明において、上述の実施形態と同一又は同等の構成については同一の符号を付し、その説明を簡略若しくは省略する。
【００４８】
図１４は、本発明の第７実施形態に係る孔部１６の要部拡大図である。
図１４に示すように、第７実施形態の孔部１６には、補強部１８が設けられている。補強部１８は、例えば、ミシンなどによるボタンホール加工によって孔部１６の開口周縁部を補強したものである。この構成によれば、例えば、衣服３の洗濯の度に生体信号計測用帯体２の着脱が行われても、孔部１６を裂け難くすることができる。
【００４９】
図１５は、本発明の第７実施形態に係る孔部１６の一変形例を示す要部拡大図である。
図１５に示すように、孔部１６の周囲に、生地よりも裂け難い補強部材１８ａを接着してもよい。また、図１４に示す構成と併用してもよい。補強部材１８ａとしては、特に限定されないが、例えば繊維製の布帛でもよく、シート状のビニール材であってもよい。またホットメルトなどの粘着材層を積層したシート材（シームテープ）であってもよい。
【００５０】
（第８実施形態）
次に、本発明の第８実施形態について説明する。以下の説明において、上述の実施形態と同一又は同等の構成については同一の符号を付し、その説明を簡略若しくは省略する。
【００５１】
図１６は、本発明の第８実施形態に係る生体信号計測用衣類１の正面図である。図１７は、本発明の第８実施形態に係る生体信号計測用衣類１の要部断面図である。
図１７に示すように、第８実施形態のコネクタ５０は、帯体２０及び衣服３（前身頃１３）を貫通して設けられている。
【００５２】
この構成によれば、図１６に示すように、衣服３の表地側にコネクタ５０が露出するため、生体信号計測装置４０を外側から着け外しすることができる。これにより、生体信号計測装置４０の電池交換などが容易に行える。
【００５３】
（第９実施形態）
次に、本発明の第９実施形態について説明する。以下の説明において、上述の実施形態と同一又は同等の構成については同一の符号を付し、その説明を簡略若しくは省略する。
【００５４】
図１８は、本発明の第９実施形態に係る衣服３の正面図である。
図１８に示すように、第９実施形態の一対の孔部１６は、縦長のスリットではなく、帯体２０が延びる方向に沿って左右に大きく開口している。
【００５５】
この構成によれば、例えば、衣服３が生体に対して大きめのサイズであったとしても、一対の孔部１６の間に、帯体２０の締め付けによる衣服３の寄り（皺）の発生を防止できる。衣服３の寄りの発生を防止することで、帯体２０の着圧の不均一化を抑制し、また、電極３１と体表面との間への衣服３の布地（余り）の挟み込みを抑制できる。また、一対の孔部１６を左右に開口させることで、電極３１が衣服３の表地側に飛び出すまでの物理的な距離を確保でき、電極３１と体表面との密着性を保つことができる。
【００５６】
（第１０実施形態）
次に、本発明の第１０実施形態について説明する。以下の説明において、上述の実施形態と同一又は同等の構成については同一の符号を付し、その説明を簡略若しくは省略する。
【００５７】
図１９は、本発明の第１０実施形態に係る生体信号計測用衣類１の正面図である。図２０は、本発明の第１０実施形態に係る生体信号計測用衣類１の要部平断面図である。
図１９に示すように、第１０実施形態の衣服３には、上述した一対の孔部１６が、前身頃１３の右半身寄りと左半身寄りに計２組設けられている。
【００５８】
図２０に示すように、一対の孔部１６の間には、一対の電極３１が片方ずつ配置されている。また、生体信号計測装置４０は、一対の電極３１の間において、衣服３の表地側に配置されている。生体信号計測装置４０と一対の電極３１（コネクタ５０）との電気的な接続は、例えば、上述した図１２に示す断面構造を採用するとよい。
【００５９】
このような構成によれば、一対の電極３１を離して配置し、生体信号を取得することができる。また、一対の孔部１６が複数組あることで、衣服３における帯体２０の支持部の数が増え、場合によっては図３に示すような帯通し１７も不要となる。さらに、コネクタ５０で衣服３を貫通することなく、生体信号計測装置４０を衣服３の表地側に配置できるので、生体信号計測装置４０の電池交換なども容易に行える。
【００６０】
（第１１実施形態）
次に、本発明の第１１実施形態について説明する。以下の説明において、上述の実施形態と同一又は同等の構成については同一の符号を付し、その説明を簡略若しくは省略する。
【００６１】
図２１は、本発明の第１１実施形態に係る生体信号計測用衣類１の正面図である。
図２１に示すように、第１１実施形態の帯体２０は、衣服３における右肩から左脇にかけて、襷掛けのように配置されている。
【００６２】
一対の孔部１６は、帯体２０の配置に応じて斜めに設けられている。このような構成によれば、帯体２０に支持された一対の電極３１を前胸部の縦方向に配置することができる。これにより、心電図のＰ波の描出が明瞭になり、胸部の筋電図の混入が軽減される。
【００６３】
以上、本発明の好ましい実施形態を記載し説明してきたが、これらは本発明の例示的なものであり、限定するものとして考慮されるべきではないことを理解すべきである。追加、省略、置換、およびその他の変更は、本発明の範囲から逸脱することなく行うことができる。従って、本発明は、上述の説明によって限定されていると見なされるべきではなく、特許請求の範囲によって制限されている。
【００６４】
例えば、上述した第１実施形態から第１１実施形態の構成の組み合わせ、置換などは適宜行うことができる。また、衣服３における帯体２０の配置は自由に設定することが可能である。
【符号の説明】
【００６５】
１…生体信号計測用衣類、２…生体信号計測用帯体、３…衣服、１６…孔部、１７…帯通し、２０…帯体、２０Ａ…一端部、２０Ｂ…他端部、２１…フック、２２…環通し、２３…調節部、２５…被覆部、３０…電極部、３１…電極、４０…生体信号計測装置、５０…コネクタ、２１２…フック、Ｂ…境目
【図１】
2020199030.tif 000003
【図２】
2020199030.tif 000004
【図３】
2020199030.tif 000005
【図４】
2020199030.tif 000006
【図５】
2020199030.tif 000007
【図６】
2020199030.tif 000008
【図７】
2020199030.tif 000009
【図８】
2020199030.tif 000010
【図９】
2020199030.tif 000011
【図１０】
2020199030.tif 000012
【図１１】
2020199030.tif 000013
【図１２】
2020199030.tif 000014
【図１３】
2020199030.tif 000015
【図１４】
2020199030.tif 000016
【図１５】
2020199030.tif 000017
【図１６】
2020199030.tif 000018
【図１７】
2020199030.tif 000019
【図１８】
2020199030.tif 000020
【図１９】
2020199030.tif 000021
【図２０】
2020199030.tif 000022
【図２１】
2020199030.tif 000023